(57)【要約】【課題】  板状体を挿抜可能としながら、その板状体を保持する保持具を小型の収納ケースに収納可能なものとし、移送したり保管したりする際の占有面積が小さく扱いやすい板状体収納用容器を提供する。【解決手段】  収納ケース５に収納する保持具４を、板状体２を保持する複数個の保持体３と、前記複数個の保持体３を積層状態に密接させて隣接する保持体３同士の間に板状体２を収納可能な収納状態、及び、前記複数個の保持体３を平行状態又は略平行状態を維持しながら隣接するもの同士を離間させて隣接する保持体３同士の間から板状体２を挿抜可能な挿抜状態に切り換え自在に前記複数個の保持体３を連係させる連係部材３１とで構成する。【選択図】        図１
2005041548.tif 000002
【特許請求の範囲】
【請求項１】
板状体を積層状態に保持する保持具が備えられ、前記保持具を収納可能で且つ開閉自在な蓋部を備えた収納ケースが備えられている板状体収納用容器であって、
前記保持具が、前記板状体を保持する複数個の保持体と、前記複数個の保持体を積層状態に密接させて隣接する保持体同士の間に板状体を収納可能な収納状態、及び、前記複数個の保持体を平行状態又は略平行状態を維持しながら隣接するもの同士を離間させて隣接する保持体同士の間から板状体を挿抜可能な挿抜状態に切り換え自在に前記複数個の保持体を連係させる連係部材とで構成されている板状体収納用容器。
【請求項２】
前記複数個の保持体のうちの最も頂部に位置する頂部側の保持体が、前記収納ケースの本体部から前記蓋部を上方側に開くことにより上方側に移動されるように、前記蓋部に接続され、
前記連係部材が、前記頂部側の保持体が上方側に移動されるに伴って前記挿抜状態に切り換えるように、前記複数個の保持体を連係するように構成されている請求項１記載の板状体収納用容器。
【請求項３】
前記蓋部の開きにより前記複数個の保持体を前記挿抜状態に切り換えたときに、前記収納ケースの本体部と前記蓋部との間を通して、前記複数個の保持体の全てに対して前記板状体の挿抜が行えるように構成されている請求項２に記載の板状体収納用容器。
【請求項４】
前記連係部材が、前記蓋部を閉じるに伴って前記収納状態に切り換えるように、前記複数個の保持体を連係するように構成され、
前記収納ケースが、前記蓋部を閉じた状態において、その蓋部と前記本体部との間に前記収納状態の複数個の保持体を積層方向に押圧するように構成されている請求項２又は３に記載の板状体収納用容器。
【請求項５】
前記連係部材が、リンク機構により構成されている請求項１〜４のいずれか１項に記載の板状体収納用容器。
【請求項６】
前記リンク機構が、隣接する保持体を平行四連リンク式に連係するように、隣接する保持体を接続する複数個のリンク部材を備えて構成されている請求項５記載の板状体収納用容器。
【請求項７】
前記複数個のリンク部材が、前記収納状態では、前記複数個の保持体の全てについて積層方向に直交する方向での位置を同じ又は略同じ位置に位置させ、且つ、前記挿抜状態では、前記複数個の保持体の積層方向に直交する方向での位置を積層方向に交互に異ならせるように、前記収納状態から前記挿抜状態に切り換えるときの上側の基準としたときの揺動方向を前記保持体の積層方向での並び方向において交互に異なるように設けられている請求項６記載の板状体収納用容器。
【発明の詳細な説明】
【技術分野】
【０００１】
本発明は、板状体を積層状態に保持する保持具が備えられ、前記保持具を収納可能で且つ開閉自在な蓋部を備えた収納ケースが備えられている板状体収納用容器に関する。
【背景技術】
【０００２】
かかる板状体収納用容器は、液晶用のガラス基板や半導体のウェハ等の板状体を積層状態に保持する保持具を収納するために用いられるものである。
そして、上記のような板状体収納用容器の従来の構成においては、保持具が、側方一面が開口した保持ケースと、その保持ケースの側壁に板状体の積層方向に並べて固定状態に備えた複数個の保持体とで構成されており、この保持具は、板状体同士の間に板状体を収納可能で、積層方向での間隔が積層方向に隣接する保持体の間から板状体を挿抜可能なように、保持体同士が積層方向に離間させて備えられており、その保持具が、開閉自在な蓋部を備えた収納ケースに収納されるように構成されていた（例えば、特許文献１参照。）。
【０００３】
【特許文献１】特開平１０−１７５６９５号公報
【発明の開示】
【発明が解決しようとする課題】
【０００４】
上記従来の板状体収納用容器では、積層方向に隣接する保持体の間から板状体を挿抜可能なように、複数個の保持体が保持具に保持体同士の積層方向での間隔が離間する状態に固定状態で備えられているため、保持具に板状体を収納したり保持具から板状体を取り出したりする場合には、その保持体同士の間から板状体を挿抜することで行うことができるものであるが、保持具を収納ケースに収納する場合では、隣接する保持体同士が積層方向に離間しているため、その複数個の保持体を備える保持具は積層方向に大きく大型なものであり、その大型な保持具を収納する収納ケースは大型なものが必要となり、収納ケース、もっては、板状体収納用容器の移送したり保管したりする際の占有面積が大きくなるので、板状体収納用容器が扱いにくいものとなっていた。
【０００５】
そして、板状体、特に、液晶用のガラス基板である場合では、前工程を行うガラス工場にてガラス基板を製造し、そのガラス基板を板状体収納用容器に収納して後工程を行う液晶工場に搬送し、ガラス基板を板状体収納用容器から取り出して、液晶工場内における板状体搬送用の容器等の板状体供給箇所に受け渡すようにしており、ガラス基板をガラス工場から液晶工場に搬送する際に上記課題が顕著なものとなっていた。
【０００６】
本発明は上記実情を鑑みたものであり、その目的は、保持具から板状体を挿抜可能としながら、その板状体を保持する保持具を小型の収納ケースに収納可能なものとし、移送したり保管したりする際の占有面積が小さく扱いやすい板状体収納用容器を提供する点にある。
【課題を解決するための手段】
【０００７】
本願発明の板状体収納用容器は、板状体を積層状態に保持する保持具が備えられ、前記保持具を収納可能で且つ開閉自在な蓋部を備えた収納ケースが備えられている板状体収納用容器であって、
第１特徴構成は、前記保持具が、前記板状体を保持する複数個の保持体と、前記複数個の保持体を積層状態に密接させて隣接する保持体同士の間に板状体を収納可能な収納状態、及び、前記複数個の保持体を平行状態又は略平行状態を維持しながら隣接するもの同士を離間させて隣接する保持体同士の間から板状体を挿抜可能な挿抜状態に切り換え自在に前記複数個の保持体を連係させる連係部材とで構成されていることを特徴としている。
【０００８】
すなわち、複数個の保持体を連係部材にて連係させることによって、保持具が、複数個の保持体を積層状態に密接させて隣接する板状体同士の間に板状体を収納可能な収納状態と、複数個の保持体を平行状態又は略平行状態を維持しながら隣接するもの同士を離間させて隣接する保持体同士の間から板状体を挿抜可能な挿抜状態とに切り換えられるように構成され、その保持具を開閉自在な蓋部を備えた収納ケースに収納されるように構成されているので、保持具に板状体を収納したり保持具から板状体を取り出したりする場合には、複数個の保持体を挿抜状態に切り換えることにより、積層方向に離間した保持体同士の間から板状体を挿抜することができるものでありながら、保持具を収納ケースに収納する場合には、複数個の保持体が積層状態に密接する収納状態に切り換えることで積層方向に小さく小型なものとすることができ、その小型な保持具を収納する収納ケース、もっては、板状体収納容器も小型なものとすることができる。
【０００９】
従って、保持具の挿抜状態においては板状体を挿抜可能としながら、保持具を収納状態に切り換えることによって、その保持具は小型の収納ケースに収納可能なものとなるので、移送したり保管したりする際の占有面積が小さく扱いやすい板状体収納用容器を提供できるに至った。
【００１０】
第２特徴構成は、上記第１特徴構成に加えて、前記複数個の保持体のうちの最も頂部に位置する頂部側の保持体が、前記収納ケースの本体部から前記蓋部を上方側に開くことにより上方側に移動されるように、前記蓋部に接続され、前記連係部材が、前記頂部側の保持体が上方側に移動されるに伴って前記挿抜状態に切り換えるように、前記複数個の保持体を連係するように構成されていることを特徴としている。
【００１１】
すなわち、収納ケースの本体部から蓋部を上方側に開くことにより、頂部側の保持体が上方側に移動され、この頂部側の保持体の上方側への移動に伴って、複数個の保持体が挿抜状態に切り換えられるため、収納ケース内に収納状態で収納していた複数個の保持体を、別途、挿抜状態に切り換える必要なくなり、収納ケースに収納された複数個の保持体を収納状態から挿抜状態に切り換えるのに、少ない手数で切り換えることができ、収納ケースに収納された収納状態の保持具を挿抜状態に切り換えやすい板状体収納用容器を提供できるに至った。
【００１２】
第３特徴構成によれば、上記第２特徴構成に加えて、前記蓋部の開きにより前記複数個の保持体を前記挿抜状態に切り換えたときに、前記収納ケースの本体部と前記蓋部との間を通して、前記複数個の保持体の全てに対して前記板状体の挿抜が行えるように構成されていることを特徴としている。
【００１３】
すなわち、収納ケースの本体部から蓋部を上方側に開くことにより、板状体を挿抜する際に本体部や蓋部の側壁等が邪魔にならないように、保持具を収納ケースの本体部や蓋部に対して相対的に上下動して、複数個の保持体の全てに対して板状体の挿抜が行えるので、板状体を挿抜する際に蓋や本体部の側壁等が邪魔にならないように、蓋部や本体部を、別途移動させる必要がなく、板状体の全てを挿抜可能な状態に少ない手数で切り換えることができ、収納ケースに収納された収納状態の保持具を板状体の全てが挿抜可能な挿抜状態に切り換えやすい板状体収納用容器を提供できるに至った。
【００１４】
第４特徴構成によれば、上記第２特徴構成又は第３特徴構成に加えて、前記連係部材が、前記蓋部を閉じるに伴って前記収納状態に切り換えるように、前記複数個の保持体を連係するように構成され、前記収納ケースが、前記蓋部を閉じた状態において、その蓋部と前記本体部との間に前記収納状態の複数個の保持体を積層方向に押圧するように構成されていることを特徴としている。
【００１５】
すなわち、蓋部の閉じ操作によって、複数個の保持体が収納状態に切り換えられ且つ切り換えられた収納状態の複数個の保持体を積層方向に押圧するので、別途、複数個の板状体を収納状態に切り換えたり、複数個の保持体を収納状態に押圧したりする必要がなく、複数個の保持体の収納状態への切り換えや固定を少ない手数で行うことができ、挿抜状態の保持具を積層方向に押圧された収納状態に切り換えやすい板状体収納用容器を提供できるに至った。
【００１６】
第５特徴構成は、上記第１特徴構成〜第４特徴構成のいずれか１つに加えて、前記連係部材が、リンク機構により構成されていることを特徴としている。
【００１７】
すなわち、連係部材がリンク機構により構成されているので、このリンク機構にて、複数個の保持体が連携されるとともに、複数個の保持体を収納状態と挿抜状態とに案内することができるので、別途、複数個の保持体を収納状態と挿抜状態とに案内する部材が必要なく、板状体収納容器の構成を簡単なものとすることができる。
【００１８】
第６特徴構成は、上記第５特徴構成に加えて、前記リンク機構が、隣接する保持体を平行四連リンク式に連係するように、隣接する保持体を接続する複数個のリンク部材を備えて構成されていることを特徴としている。
【００１９】
すなわち、リンク機構が平行四連リンク式に構成されているので、リンク機構の連結部分が保持体に対してスライド移動するように構成する必要がなく、リンク機構を簡単に構成することができる。
【００２０】
第７特徴構成は、上記第６特徴構成に加えて、前記複数個のリンク部材が、前記収納状態では、前記複数個の保持体の全てについて積層方向に直交する方向での位置を同じ又は略同じ位置に位置させ、且つ、前記挿抜状態では、前記複数個の保持体の積層方向に直交する方向での位置を積層方向に交互に異ならせるように、前記収納状態から前記挿抜状態に切り換えるときの上側の基準としたときの揺動方向を前記保持体の積層方向での並び方向において交互に異なるように設けられていることを特徴としている。
【００２１】
すなわち、リンク機構を平行四連リンク式に構成することによって、収納状態と挿抜状態とで隣接する保持体同士が積層方向に直行する方向にずれてしまうものであるが、収納状態では、複数個の保持体の全てについて積層方向に直交する方向での位置を同じ又は略同じ位置に位置させることによって、積層方向に直行する方向にも小さなものとしながら、挿抜状態では、複数個の保持体の積層方向に直行する方向での位置を交互に異ならせることによって、保持体の積層方向に直行する方向への張り出し量が抑えることができる。
【発明を実施するための最良の形態】
【００２２】
以下、本発明に係る板状体収納用容器を、板状体の一例を液晶用のガラス基板とした場合について図面に基づいて説明する。
【００２３】
図１、図２、図４に示すように、板状体収納用容器１には、板状体としてのガラス基板２を積層状態に保持する保持具４が備えられ、前記保持具４を収納可能で且つ開閉自在な蓋部２６を備えた収納ケース５が備えられている。
【００２４】
そして、図２〜図４に示すように、前記保持具４は、ガラス基板２を保持する複数個の保持体３と、前記複数個の保持体３を積層状態に密接させて隣接する保持体３同士の間にガラス基板２を収納可能な収納状態（図４参照）、及び、前記複数個の保持体３を平行状態又は略平行状態を維持しながら隣接するもの同士を離間させて隣接する保持体３同士の間からガラス基板２を挿抜可能な挿抜状態（図２参照）に切り換え自在に前記複数個の保持体３を連係させる連係部材としてのリンク機構３１とで構成されている。
【００２５】
前記保持体３の夫々について詳述すると、図３、図４に示すように、保持体３は、ガラス基板２を載置支持する載置面６を備えた薄い四角板状に形成された保持体本体１０と、この保持体本体１０とは別体に構成された突出係止部材１１と、ゴムやスポンジ等の合成樹脂により構成された緩衝部材１２とにより構成されている。前記保持体本体１０の夫々には、その４辺ある周縁部１０ａの１辺から保持体３の中心部に向けて載置した載置面６に載置されるガラス基板２の存在箇所１０ｂにまで延びる切欠き９が形成されている。また、保持体本体１０には、保持体本体１０における前記存在箇所１０ｂ内に位置して積層方向に貫通する４つの内孔１４と、保持体本体１０における前記存在箇所１０ｂより周縁部１０ａ側に位置して積層方向に貫通する８つの外孔１５とが形成されている。尚、保持体本体１０は、アルミニウムやステンレス等の金属、若しくは、強度及びアウトガスに対して有効な効果を有する合成樹脂にて構成されている。
【００２６】
図４（ロ）に示すように、前記突出係止部材１１の夫々は、基端部１１ｂと基端部１１ｂより大径の部分を備えた先端部１１ａとで構成され、基端部１１ｂを前記保持体本体１０の外孔１５に載置面６側から嵌合して保持体本体１０に取り付けられるように構成してあり、前記挿抜状態に切り換えた際に、先端部１１ａの先端が外孔１５に裏面側から勘合するように構成されている。また、前記緩衝部材１２の夫々は、載置面６側と裏面１６側との両側から突出するように内孔１４に嵌合して保持体本体１０に取り付けられるように構成されている。
【００２７】
従って、図３、図４に示すように、保持体３の夫々には、ガラス基板２を載置支持する載置面６に載置されたガラス基板２の外周縁部２ａに接当して、ガラス基板２の載置面６に沿う方向での移動を規制する複数の突出部としての前記先端部１１ａが、載置面６から突出し且つガラス基板２の外周縁部２ａに対して分散配置される状態で設けられている。そして、図５、図７（イ）に示すように、この先端部１１ａの大径の部分は、それが設けられた保持体３に隣接する保持体３の載置面６側への移動位置をガラス基板２の厚さよりも大なる位置に規制するように、隣接する保持体３を受け止める受け部として機能する。
【００２８】
図１、図２に示すように、前記リンク機構３１は、隣接する保持体３を平行４連リンク式に連係するように、隣接する保持体３を接続する４個のリンク部材３２を備えて構成されている。そして、４個のリンク部材３２が、前記収納状態では、前記複数個の保持体３の全てについて積層方向に直交する方向での位置を同じ又は略同じ位置に位置させ、且つ、前記挿抜状態では、前記複数個の保持体３の積層方向に直交する方向での位置を積層方向に交互に異ならせるように、前記収納状態から前記挿抜状態に切り換えるときの上側の基準としたときの揺動方向を前記保持体３の積層方向での並び方向において交互に異なるように設けられている。
【００２９】
つまり、保持体３における前記切欠き９が形成されていない３辺のうちの対向する２辺の側面の夫々に、底部側に隣接する保持体３と接続するための２個のリンク部材３２と、頂部側に隣接する保持体３と接続するための２個のリンク部材３２とが揺動自在に連結されており、保持体３としては計８個のリンク部材３２が連結されている。尚、最も頂部に位置する頂部側の保持体３は、底部側に隣接する保持体３と接続するための４個のリンク部材３２のみが連結されており、最も底部に位置する底部側の保持体３は、頂部側に隣接する保持体３と接続するための４個のリンク部材３２のみが連結されている。
【００３０】
図２、図５、図６に示すように、前記リンク部材３２は、前記複数個の保持体３が収納状態、つまりは、前記保持具４が収納状態である状態では転倒姿勢となり、前記複数個の保持体３が挿抜状態、つまりは、保持具４が挿抜状態である状態では起立姿勢となるように構成されており、リンク部材３２の転倒姿勢側の規制は、保持具本体１０と突出部材１１の先端部１１ａとの接当により規制され、起立姿勢側の規制は、リンク部材３２と保持具本体１０の側面１０ａに備えた規制部材３３との接当により規制されている。起立姿勢側の規制においては、起立姿勢でのリンク部材３２が垂直な姿勢よりも転倒姿勢側にわずかに傾くように規制されており、リンク部材３２の頂部側の連結部分に垂直方向の荷重が加わることによりリンク部材３２が転倒姿勢側へ揺動するように構成されている。
【００３１】
また、前記リンク部材３２は、保持具４を収納状態から挿抜状態に切り換えるとき、つまりは、リンク部材３２が転倒姿勢から起立姿勢に姿勢が切り換わるときの上側を基準としたときの揺動方向を保持体３の積層方向での並び方向において交互に異なるように設けられている。具体的に説明すると、リンク部材３２が転倒姿勢から起立姿勢に姿勢が切り換わるときの上側を基準としたときの揺動方向が、保持具４における、頂部側から１番目の保持体３と２番目の保持体３とを接続するリンク部材３２や、３番目の保持体３と４番目の保持体３とを接続するリンク部材３２の揺動方向に対して、頂部側から２番目の保持体３と３番目の保持体３とを接続するリンク部材３２や、４番目の保持体３と５番目の保持体３とを接続するリンク部材３２の揺動方向が逆方向となるというように構成されている。
【００３２】
そして、前記リンク部材３２の保持体３との連結箇所は、複数個の保持体３の全てについて積層方向に直交する方向での位置が同じ位置となる収納状態から挿抜状態に切り換えると、頂部側から奇数番目の保持体３に対して、頂部側から偶数番目の保持体３が、積層方向に直交する方向での位置がずれ、奇数番目の保持体３同士並びに偶数番目の保持体３同士ついては、積層方向に直行する方向での位置が同じ位置となるように設定されている。尚、複数個の保持体３は、２５個の保持体３で構成されており、頂部側の保持体３と底部側の保持体３とが積層方向に直行する方向での位置が同じ位置となるように構成されている。
【００３３】
図１に示すように、前記収納ケース５は、底板２５ａに側壁２５ｂを立設した本体部２５と、開閉自在で天井部２６ａの外面に把持部２６ｄを備えた前記蓋部２６と、閉じた状態の蓋部２６を本体部２５に固定する固定機構２７とで構成されている。また、固定機構２７は、蓋部２６に備えた固定具２７ａと本体部２５に備えた被固定具２７ｂとで構成されている。
【００３４】
そして、図２に示すように、前記複数個の保持体３のうちの最も頂部に位置する頂部側の保持体３が、前記収納ケース５の本体部２５から前記蓋部２６を上方側に開くことにより上方側に移動されるように、前記蓋部２６に接続され、前記リンク機構３１が、前記頂部側の保持体３が上方側に移動されるに伴って前記挿抜状態に切り換えるように、前記複数個の保持体３を連係するように構成されている。さらに、前記蓋部２６の開きにより前記複数個の保持体３を前記挿抜状態に切り換えたときに、前記収納ケース５の本体部２５と前記蓋部２６との間を通して、前記複数個の保持体３の全てに対して前記ガラス基板２の挿抜が行えるように構成されている。また、図４に示すように、前記リンク機構３１が、前記蓋部２６を閉じるに伴って前記収納状態に切り換えるように、前記複数個の保持体３を連係するように構成され、前記収納ケース５が、前記蓋部２６を閉じた状態において、その蓋部２６と前記本体部２５との間に前記収納状態の複数個の保持体３を積層方向に押圧するように構成されている。
【００３５】
つまり、蓋部２６と頂部側の保持体３とは、２本のリンクアームを揺動自在に連結させた機構を一対備えた伸縮自在な頂部リンク機構３４にて接続され、本体部２５の底板２５ａと底部側の保持体３とは、２本のリンクアームを揺動自在に連結させた機構を一対備えた伸縮自在な底部リンク機構３６にて接続されている。そして、前記蓋部２６の天井部２６ａの内面には、この内面が頂部側の保持体３の載置面６側へ近接するのをガラス基板２の厚さよりも大なる位置に規制するように、頂部側の保持体３を受ける受け突起部２６ｃが形成されており、前記底板２５ａの上面には、先端が底部側の保持体３の外孔１５に裏面から嵌合し且つ基部で底部側の保持体３を載置支持する支持突起部２５ｃが形成されている。
【００３６】
従って、蓋部２６を閉じた状態では保持具４が、蓋部２６の受け突起部２６ｃと本体部２５の支持突起部２５ｃとによって積層方向に押圧されている。また、蓋部２６を開いた状態での保持具４は、各保持体３の自重等により、リンク機構３１が起立姿勢となった挿抜状態となり、頂部リンク機構３４や底部リンク機構３６は伸長姿勢となる。尚、この状態では、頂部側の保持体３は、蓋部２６の側壁２６ｂの下端より下方に間隔を空けて位置し、底部側の保持体３は、本体部２５の側壁２５ｂの上端より上方に間隔を空けて位置する。
【００３７】
次に、板状体収納用容器１からのガラス基板２の抜き出しについて説明する。収納ケース５に収納されている保持具４からガラス基板２を抜き出すには、まず、収納ケース５を作業台２９上に移載し、その移載させた収納ケース５の底板２５ａをフック３０にて係止させてケース体２５を載置台２９に固定し、前記固定機構２７による固定を解除する。尚、蓋部２６が閉じられている状態では、保持具４は収納状態であり、リンク機構３１は転倒状態、頂部リンク機構３４及び底部リンク機構３６は短縮状態となっている。
【００３８】
その後、作業台２９の上方に備えられた昇降可能な把持装置２１にて、蓋部２６の把持部２６ｄを把持し、その把持装置２１を上昇させて蓋部２６を上方側へ開き操作する。すると、この蓋部２６の開き操作に伴って、頂部リンク機構３４が短縮姿勢から伸長姿勢側に姿勢変更し、頂部リンク機構３４が伸長姿勢となり、頂部側の保持体３は、蓋部２６の側壁２６ｂの下端より下方に間隔を空けて位置することとなる。蓋部２６の開き操作を続けると、頂部リンク機構３４を介して頂部側の保持体３が引き上げられて上方側に移動し、この頂部側の保持体３の上方側への移動に伴って、各リンク機構３１が頂部側から順次、転倒姿勢から起立姿勢に姿勢変更し、全てのリンク機構３１が起立姿勢になると保持具４は挿抜状態となる。さらに、蓋部２６の開き操作を続けると、底部側の保持体３が引き上げられて上方側へ移動し、この底部側の保持体３の上方側への移動に伴って、底部リンク機構３６が短縮姿勢から伸長姿勢側に姿勢変更し、底部リンク機構３６が伸長姿勢となり、底部側の保持体３は、本体部２５の側壁２５ｂの上端より上方に間隔を空けて位置することとなる。
【００３９】
図２に示すように、保持具４が挿抜状態となり、頂部リンク機構３４及び底部リンク機構３６が伸長状態となることにより、収納ケース５の本体部２５と蓋部２６との間を通して、保持具４の全ての保持体３に対して、作業台２９の側方に備えた取出装置２２にてガラス基板２を取り出すことができる。この取出装置２２による取り出しは、取り出し対象のガラス基板２を保持している保持体３とこの保持体３の底部側に位置する保持体３との間に取出装置２２のアーム２２ａを進出させ、アームを取り出し対象のガラス基板２を保持している保持体３とこの保持体３の頂部側に位置する保持体３との間にアーム２２ａが位置するまで前記切欠き９を通して上昇させる。この上昇の際にガラス基板２をアームの上面に備えた吸着パット２２ｂにて吸着保持する。そして、吸着パット２２ｂにてガラス基板２を吸着保持したアーム２２ａを引退させることによってガラス基板２が抜き出され、保持具３からガラス基板２を取り出すことができる。尚、頂部側から奇数番目の保持体３に対して、頂部側から偶数番目の保持体３が積層方向に直交する方向、つまりは、アーム２２ａの進退方向にずれているため、その保持体３に保持されているガラス基板２もアーム２２ａの進退方向にずれているが、アーム２２ａの出退ストロークを変更することにより対応している。
【００４０】
〔別実施の形態〕
（１）  上記実施の形態では、複数個のリンク部材を、収納状態から挿抜状態に切り換えるときの上側の基準としたときの揺動方向を保持体の積層方向での並び方向において交互に異なるように設けたが、図８に示すように、リンク部材３９を、収納状態から挿抜状態に切り換えるときの上側の基準としたときの揺動方向を全て同じ方向となるように構成して、収納状態（図８（イ）参照）では、複数個の保持体３の全てについて積層方向に直交する方向での位置を同じ又は略同じ位置に位置し、且つ、挿抜状態（図８（ロ）参照）では、複数個の保持体３が階段状に位置するように構成してもよい。尚、この実施の形態においては、蓋部の開きは斜め上方に開く。
【００４１】
（２）  上記実施の形態では、連係部材をリンク機構により構成し、そのリンク機構を、隣接する保持体を平行四連リンク式に連係するように、隣接する保持体を接続する複数個のリンク部材を備えて構成したが、リンク機構３１を、図９に示すような、底部側のリンク部材４０ａと頂部側のリンク部材４０ｂとを揺動自在に連結させた機構を複数備えて構成する等、平行四連リンク式とは別の形式のリンク機構にて連係するように構成してもよく、また、連係部材を、紐等の策状体により構成してもよい。
【００４２】
（３）  上記実施の形態では、複数個の保持体のうちの最も頂部に位置する頂部側の保持体が、収納ケースの本体部から蓋部を上方側に開くことにより上方側に移動されるように、頂部リンク機構にて蓋部に接続したが、この頂部リンク機構を備えずに、蓋部の開きと頂部側の保持体の上方側への移動とを別々に行うように構成してもよい。また、底部リンク機構も備えなくてもよい。
つまり、収納ケースの蓋部を開いたり、収納ケースから保持具を取り出したりした状態で、保持具の頂部側の引き上げたり持ち上げたりすることによって、頂部側の保持体が上方側に移動させるように構成してもよい。
【００４３】
（４）  上記実施の形態では、頂部リンク機構や底部リンク機構を、２本のリンクアームを揺動自在に連結させた機構を一対備えて構成したが、これらをＸリンク等の他のリンク機構にて構成してもよい。
【００４４】
（５）  上記実施の形態では、収納ケースにおける本体部と蓋部との形状により、底部リンク機構のアーム長さに比して頂部リンク機構のアーム長さが長いものとなっているが、蓋部の側壁の高さを低くして本体部の側壁を高くすることにより、底部リンク機構のアーム長さと頂部リンク機構のアーム長さとを同様の長さにしても良い。また、底部リンク機構や頂部リンク機構の接続機構を、コイルスプリング等のバネ機構にて構成したり、リンク機構とバネ機構との両方にて構成するものでもよい。
【００４５】
（６）  上記実施の形態では、リンク機構を、隣接する保持体を平行四連リンク式に連係するのにリンク部材を４個備えて構成したが、５以上備えて一方側或いは両方に複数の平行四連リンクを形成するものでもよい。
【００４６】
（７）  上記実施の形態では、板状体として、液晶用のガラス基板としたが、半導体のウェハ等でもよく、板状体の形状や大きさは実施形態に限定されるものではない。
【図面の簡単な説明】
【００４７】
【図１】保持具が挿抜状態に切り換えられている板状体収納容器の斜視図
【図２】保持具が挿抜状態に切り換えられている板状体収納容器の側面図
【図３】保持体の平面図
【図４】（イ）図３におけるａ−ａ断面図、（ロ）図３におけるｂ−ｂ断面図
【図５】保持具が収納状態に切り換えられている板状体収納容器の側面図
【図６】板状体収納容器の底部側を示す側面図
【図７】（イ）リンク機構の転倒状態を示す側面図、（ロ）リンク機構の起立姿勢を示す側面図
【図８】（イ）別実施の形態（１）におけるリンク機構の転倒状態を示す側面図            （ロ）別実施の形態（１）におけるリンク機構の起立姿勢を示す側面図
【図９】（イ）別実施の形態（２）におけるリンク機構の転倒状態を示す側面図            （ロ）別実施の形態（２）におけるリンク機構の起立姿勢を示す側面図
【符号の説明】
【００４８】
１  板状体収納用容器
２  板状体（ガラス基板）
３  保持体
４  保持具
５  収納ケース
２５  本体部
２６  蓋部
３１  連係部材（リンク機構）
【図１】
2005041548.tif 000003
【図２】
2005041548.tif 000004
【図３】
2005041548.tif 000005
【図４】
2005041548.tif 000006
【図５】
2005041548.tif 000007
【図６】
2005041548.tif 000008
【図７】
2005041548.tif 000009
【図８】
2005041548.tif 000010
【図９】
2005041548.tif 000011